(57)【要約】      （修正有）【課題】動滑車を用い錘と収納箱をバランスさせた昇降式の収納システムにおいて、収納箱の重量に対して錘を従来の１／２にする収納システムを提供する。【解決手段】下向きの開口部１ａを有し壁に固定する外箱１と、外箱１に取り付けられたスライドレール９により安定に下方に引き出し可能な一対の収納箱２ａ、２ｂと、外箱１と収納箱２ａ、２ｂとの鉛直方向に設けられる隙間３に上下動が自由な錘４と、両端が一対の収納箱２ａ、２ｂを吊上げる箱紐６が有り、動滑車５の筐体に錘４の力が作用し、動滑車５のプーリーに箱紐６が巻きつき、動滑車５に伝達される錘４の重力による力と収納箱２ａ、２ｂの重力による箱紐６の力とが互いに引き合いバランスをとる収納システムであって、一対の収納箱２ａ、２ｂを排他的に引出すように使う収納システム。【選択図】図１
2016146997.tif 000002
【特許請求の範囲】
【請求項１】
下向きの開口部（１ａ）を有し壁に固定する外箱（１）と、前記外箱（１）に取り付けられた鉛直方向に引き出し可能なスライドレール（９）と、前記外箱（１）に内蔵され前記開口部（１ａ）から前記スライドレール（９）により安定に鉛直方向に引き出し可能な一対の収納箱（２ａ）、（２ｂ）と、前記外箱（１）と前記収納箱（２ａ）、（２ｂ）との鉛直方向に設けられる隙間（３）と、前記隙間（３）に配され上下動が自由な錘（４）と、紐の両端に箱取付部（２ｃ）、（２ｄ）を有し前記一対の収納箱（２ａ）、（２ｂ）を吊り上げる箱紐（６）とを有し、前記錘（４）を引き上げる力を動滑車（５）の筐体に導き、前記箱紐（６）の力を動滑車（５）のプーリーに巻きつけ、前記動滑車（５）に伝達される前記錘（４）の重力による力と前記収納箱の重力による前記箱紐（６）の力とが互いに引き合いバランスをとることを特徴とする収納システム。
【請求項２】
前記箱紐（６）は前記外箱（１）に取り付けた定滑車（８）を介することで力の方向を反転させ前記動滑車（５）に導くことにより、前記錘（４）の力と前記動滑車（５）に伝達される前記箱紐（６）の力とが互いに引き合いバランスをとることを特徴とする請求項１の収納システム。
【請求項３】
前記錘（４）と前記動滑車（５）の筐体とをつなぐ錘紐（７）を有し、前記錘紐（７）は前記外箱（１）に取り付けられた定滑車（８）を介することで前記錘紐（７）の力の方向を反転させ前記動滑車（５）に導くことにより、前記動滑車（５）に伝達される前記錘（４）の力と前記動滑車（５）に伝達される前記箱紐（６）の力と互いに引き合いバランスをとることを特徴とする請求項１の収納システム。
【請求項４】
前記空隙（３）は一対の空隙（３ａ）、（３ｂ）であり、前記錘（４）は１対の錘（４ａ）、（４ｂ）であり、前記錘紐（７）は一対の錘紐（７ａ）、（７ｂ）であり、前記錘（４ａ）、（４ｂ）は一対の錘紐（７ａ）、（７ｂ）により定滑車（８）を介して前記動滑車（５）とつながれ、前記錘紐（７ａ）、（７ｂ）は途中動滑車（５）の筐体近傍で結合する錘紐結合部（７ｃ）を有し、錘紐結合部（７ｃ）により前記錘（４ａ）、（４ｂ）が互いに引き合うように配されていることを特徴とする請求項１の収納システム。
【請求項５】
前記隙間（３）は一対の隙間（３ａ）、（３ａ）であり、前記錘（４）は一対の錘（４ａ）、（４ｂ）であり、前記動滑車（５）は一対の動滑車（５ａ）、（５ｂ）であり、前記箱紐（６）は一対の箱紐（６ａ）、（６ｂ）であり、前記箱紐（６ａ）の両端に箱取付部（２ｅ）、（２ｆ）を有し、前記箱紐（６ｂ）の両端に箱取付部（２ｇ）、（２ｈ）を有し、前記錘（４ａ）は前記動滑車（５ａ）の筐体に取付け、前記動滑車（５ａ）のプーリーに巻かれた前記箱紐（６ａ）は定滑車（８）を介して前記箱取付部（２ｅ）、（２ｆ）より前記収納箱（２ａ）、（２ｂ）を引き上げ、前記錘（４ｂ）は前記動滑車（５ｂ）の筐体に取付け、前記動滑車（５ａ）のプーリーに巻かれた前記箱紐（６ｂ）は定滑車（８）を介して前記箱取付部（２ｇ）、（２ｈ）より前記収納箱（２ａ）、（２ｂ）を引き上げ、前記箱取付部（２ｅ）、（２ｇ）に至る途中に箱紐結合部（６ｃ）で前記箱紐（６ａ）と（６ｂ）を結合し、前記箱取付部（２ｆ）、（２ｈ）に至る途中に箱紐結合部（６ｄ）で前記箱紐（６ａ）と（６ｂ）を結合し、前記隙間（３ａ）、（３ａ）は対向する面に設けられ、前記一対の錘（４ａ）、（４ｂ）が互いに引きあうようにしたことを特徴とする請求項１の収納システム。
【発明の詳細な説明】
【技術分野】
【０００１】
壁に固定する収納システムに関するものであって、目線より上、天井近くの壁に取り付ける昇降機構を有する収納システムに関する。特に、軽くて大きな容積が必要な収納に適する。
【背景技術】
【０００２】
収納家具は床置きが多い。床を専有する家具を増やすと収納力は上がるが、床面積が減り狭小感や圧迫感を持つ。このため腰から下の背の低い家具も多い。これは目線の高さに家具がなく壁まで見えるので、狭小感は少ないが、それだけ収納量が減る。天袋や棚を吊るなど、人の背丈より上の収納もある。収納量はそれだけ増えるが、目線より高いので奥まで見えず、踏み台が必要な場合が多く、利便性が低い。        
【０００３】
昇降式の収容棚で電動式のものが発明されているが、大掛かりで複雑となる。錘とのバランス型昇降式の収容棚が考えられる。ひとつは、収納済みの棚の重さと同じ重さの錘を滑車を介して紐の両端に結合する方式である。この滑車は軸を移動させずに滑車の筐体を固定した滑車で、定滑車という。これによれば棚の移動量によらず一定力が得られる。しかし、錘の高さ＋錘の移動量が必要で、棚の大きな移動量を望むと全体がそれだけ大きくなる。
【０００４】
錘とのバランス型昇降式の収容棚で、錘とが共に上下するように滑車をつけ動滑車とし、４の移動量を減らしたものも発明されている。滑車のプーリーに架かる紐の張力のｎ倍の力が滑車の筐体を取り付けたものに生じることを利用した滑車を動滑車と呼ぶ。動滑車の利用法を図１４（ｂ）、（ｃ）で説明する。図１４（ｂ）、（ｃ）はそれぞれｎ＝２、ｎ＝４に相当する。動滑車のプーリーを引く紐の数ｎが力の倍数となり、同時に紐の１／ｎの移動量が動滑車と連結された錘の移動量と出来る。これにより、収納箱２の移動量によらず一定力が得られるのと同時に、収納箱２の引出し量が収納箱２の全長Ｌでも、錘の移動量を勘案してシステム全体の高さが大きくなる心配がなくなる。しかし、このために必要とされる錘はｎ倍となり、全体の重さがそれだけ増え、これを取り付ける壁の負荷が大きくなりすぎる心配が生まれる。      
【先行技術文献】
【特許文献】
【０００５】
【特許文献１】特開２０００―２１７６５１号公報
【発明の概要】
【発明が解決しようとする課題】
【０００６】
動滑車を利用して錘の上下動を１／２とする錘バランス型昇降式の収納棚で、錘の重さを従来の１／２倍にする。
【課題を解決するための手段】
【０００７】
下向きの開口部１ａを有し壁に固定する外箱１と、前記外箱１に取り付けられた鉛直方向に引き出し可能なスライドレール９と、前記外箱１に内蔵され前記開口部１ａから前記スライドレール９により安定に鉛直方向に引き出し可能な一対の収納箱１ａ、１ｂと、前記外箱１と前記収納箱１ａ、１ｂとの鉛直方向に設けられる隙間３と、前記隙間３に配され上下動が自由な錘４と、紐の両端に箱取付部１ｃ、１ｄを有し前記一対の収納箱１ａ、１ｂを吊り上げる箱紐６とを有し、前記錘４を引き上げる力を動滑車５の筐体に導き、前記箱紐６の力を動滑車５のプーリーに巻きつけ、前記動滑車５に伝達される前記錘４の重力による力と前記収納箱１ａ、１ｂの重力による前記箱紐６の力とが互いに引き合いバランスをとる収納システム。
【発明の効果】
【０００８】
錘に対して従来+の２倍の収納を実現する。収納量比でいえば、錘の重さは従来の１／２倍となる。
【図面の簡単な説明】
【０００９】
【図１】実施例１を説明する図
【図２】実施例１の力関係と動作を説明する原理図
【図３】実施例２を説明する図
【図４】実施例２の力関係と動作を説明する原理図
【図５】実施例３を説明する図
【図６】実施例３の力関係と動作を説明する原理図
【図７】図６の部分Ｆを説明する図
【図８】実施例４の力関係と動作を説明する原理図
【図９】実施例４を説明する図
【図１０】実施例５を説明する図
【図１１】図９と図１０に示される滑車取付モジュール１３を説明する平面図
【図１２】滑車取付モジュール１３を説明する三面図
【図１３】本発明に基づく婦人靴収納システムの検討図の例
【図１４】滑車の利用を説明する原理図
【発明を実施するための形態】
【実施例１】
【００１０】
図１を使用して説明する。収納システムは、外箱１と、一対の収納箱２ａ、２ｂと、空隙３と、錘４と、動滑車５と、箱紐６と、定滑車８と、スライドレール９とを有する。外箱１は下向きの開口部１ａを有し、下向きに引き出し可能なスライドレール９が取りつけられる。一対の収納箱２ａ、２ｂは、外箱１に内蔵され、スライドレール９により開口部１ａから安定的に下に引き出し可能となっている。外箱１と一対の収納箱２ａ、２ｂとの鉛直方法に空隙３が設けられ、空隙３に錘４が配される。錘４は動滑車５の筐体と繋がれている。動滑車５のプーリーには箱紐６が巻きつけられ、箱紐６の両端には箱取付部２ｃ、２ｄを有し一対の収納箱２ａ、２ｂが取り付けられる。箱紐６は定滑車８によって動滑車５に導かれると共にその力の方向を反転させ、動滑車５にかかる錘４の力と一対の収納箱２ａ、２ｂの力を互いに引きあうようにする。この時の力学的な状態を示したものが図２（ａ）である。収納済みの収納箱２ａ、２ｂの重さを各々Ｗとすると、錘４の重さが２Ｗの時が平衡状態である。図２（ｂ）に動滑車の力関係を示した。
【００１１】
収納箱２ａ、ｂとも上支点にある状態から収納箱２ａだけを下方に引出す場合、収納箱２ｂは上支点の位置を保つので、収納箱２ｂの箱紐は外箱１の天板に固定したことと力学的には変わない。すなわち、一方の収納箱を引くと動滑車のプーリーが回り錘が引き上げられ一方の収納箱を収納箱の全長Ｌだけ引き出すと錘はＬ／２だけ引き上げられる。力学的な挙動は図１４で示される従来の（ｂ）と同様の動作となる。収納箱２ａを上支点に戻し、収納箱２ｂを引出す場合も同様であり、すなわち、収納箱２が２倍、その収納量も２倍とできる 。収納量を基準に言えば、従来の１／２の錘の重さで済む。この時、収納箱２ａ又は収納箱２ｂの全長Ｌだけ引出しても錘４の移動量はＬ／２なので錘４の高さをＬ／２以下とすれば、錘４の移動量＋錘４の高さの合計をＬ以下と出来るので、外箱１の高さも最小限の増加で済む。また、図１に示すように、収納箱２を除く力学的な構造物を外箱１の背板１ｂにまとめることが可能で、モジュール化出来る。
【実施例２】
【００１２】
収納箱２からの力の方向を反転させる代わりに、錘４からの力を反転させても良い。図３に示すように定滑車を使うために錘紐７を有する。錘紐７で定滑車８を介して錘４を動滑車５の筐体とつなぎ、錘４の力の向きを反転する。この時の力学的な状態を示したものが図４（ａ）である。図４（ｂ）に動滑車の力関係を示す。これを図２（ｂ）の動滑車の力関係と比べれば明らかなように、図全体を１８０度回しただけである。力のバランス関係は同一で、収納箱２の動作は同じである。 すなわち、一方の収納箱を引くと動滑車のプーリーが回り錘が引き上げられ、一方の収納箱を収納箱の全長Ｌだけ引き出すと錘はＬ／２だけ引き上げられる。
【実施例３】
【００１３】
実施例２との差異のみを図５を用いて説明する。空隙３は一対の空隙３ａ、３ｂであり、前記錘４は１対の錘４ａ、４ｂであり、前記錘紐７は一対の錘紐７ａ、７ｂで構成される。空隙３ａに配される錘４ａが錘紐７ａの一端に接続され定滑車８を介して動滑車５の筐体に接続される。同様に、空隙３ｂに配される錘４ｂが錘紐７ｂの一端に接続され定滑車８を介して動滑車５の筐体に接続される。動滑車５の近傍に錘紐７ａと錘紐７ｂを結合すると錘紐結合部７ｃが設けられていて、錘紐結合部７ｃにより錘４ａ、４ｂは互いに引きあうように配される。以上力学的な状態を示したものが図６である。一対の収納箱２ａ、２ｂを排他的に引き出すと、実施例１と同様に、動滑車５のプーリーが回り動滑車が錘を引き上げる。動滑車でみた時の力学は（ｂ）に示すように実施例２と同じとなる。すなわち、一方の収納箱を収納箱の全長Ｌだけ引き出すと一対の錘はＬ／２だけ引き上げられる。
【００１４】
図６（ａ）でわかるように、一対の収納箱２ａ、２ｂを取り付ける前でも一対の錘４ａ、４ｂが互いに引き合う状態となる。これにより、収納箱２ａ、２ｂがない状態でも錘４ａ、４ｂだけでバランスするので、収納箱２を簡単に着脱可能とすることができる。取付工事の際に収納箱２を外して取付工事が出来、釘打ちやネジ止めが空の外箱１に行うことができ、扱いやすい。また、使用中に、収納箱を取り外して掃除が出来る。更に、錘４の重量２Ｗを２箇所に分散できるので、個々の錘４ａ、４ｂの体積が小さく薄く出来、狭い隙間でも活用可能となる。図４に示すように、収納箱２を除く力学的な構造物を背板１ｂにまとめることが可能で、モジュール化出来る。
【００１５】
錘紐結合部７ｃは、例えば図７に示すような連結されたリングを介してもよい。すなわち、錘紐結合部７ｃは力学的につながっている事を意味しているだけであって、複数の部材であっても本発明に含まれる。
【実施例４】
【００１６】
錘４と動滑車を一対とする方法も有る。実施例１との比較で図８及び図９で説明する。空隙３と錘４と動滑車５と箱紐６は、それぞれ一対の空隙３ａ、３ｂと一対の錘４ａ、４ｂと一対の動滑車５ａ、５ｂと一対の箱紐６ａ、６ｂで構成される。箱紐６ａの両端には各々箱取付部２ｅ、２ｆが有り、 箱紐６ｂの両端には各々箱取付部２ｇ、２ｈが有る。一対の空隙３ａ、３ｂは対向する一対の側壁の位置である。箱紐６ａは、定滑車８を介して動滑車５ａのプーリーに巻きつけられ、両端に箱取付部２ｅ、２ｆを有し、一対の収納箱２ａ、２ｂに接続される。同様に箱紐６ｂは、定滑車８を介して動滑車５ｂのプーリーに巻きつけられ、両端に箱取付部２ｇ、２ｈを有し一対の収納箱２ａ、２ｂに接続される。動滑車５ａ、５ｂの筐体には錘４ａ、４ｂが各々接続される。箱紐６ａと箱紐６ｂとを結合するため、収納箱２ａの箱取付部２ｅ、２ｇ近傍に箱紐結合部６ｃが設けられ、収納箱２ｂの箱取付部２ｆ、２ｈ近傍に箱紐結合部６ｄが設けられる。箱紐結合部６ｃ、６ｄにより、収納箱２ａ、２ｂが無い時でも錘同士が引き合い、バランスする。一方の収納箱を引くと、、一対の動滑車５ａ、５ｂのプーリーが同時に回り、一対の錘４ａ、４ｂが同時に引き上げられ、一方の収納箱を収納箱の全長Ｌだけ引き出すと、錘はＬ／２だけ引き上げられる。
【００１７】
収納箱が取り付けられる前でも錘はバランスするので、実施例４と同様に簡単に収納箱を着脱可能とすることが出来る。取付工事の際に収納箱を外して取付工事が出来、釘打ちやネジ止めが空の外箱に行うことができ、扱いやすい。また、実使用中に、収納箱２を取り外して掃除が出来る。更に、錘の重量を２箇所に分散できるので、個々の錘の体積が小さく薄く出来、狭い隙間でも活用可能となる。加えて、実施例１及び第２の形態と比べ、滑車への負荷が半分となっている。実施例４においてはどの滑車でも紐の力は半分Ｗ／２であり、それだけ滑車への負荷が少なくなり長寿命が期待できる。また、一対の収納箱の片方がなくても、図８でわかるように箱紐結合部６ｃ、６ｄの作用で錘通しが互いに引き合い、収納箱が１つの時にも、そのまま動作出来る。
【００１８】
箱紐結合部６ｃ、６ｄは３本の紐で構成し、図６と同様なリングを介し繋いでも良い。
【実施例５】
【００１９】
一対の収納箱２ａ、２ｂが前後に設けられる実施形態を図１０に示す。この場合でも力学的な状態は実施例４の時の図８と同じになる。すなわち、実施例４と同様の動作と効果が有る。
【００２０】
図９、図１０に示されるモジュール１３を図１１で説明する。図１１は外箱１にモジュール１３が取り付けられた状態を表す。モジュール１３の両端の裏表計４つの定滑車８は動滑車５ａ、５ｂのプーリーを引く紐を駆ける。これにより、定滑車８の向きに比べ動滑車５ａ、５ｂの向きが９０度変わる。モジュール１３の厚さを決定するにあたり、モジュールの強度に加え動滑車のローラーの径を勘案して決める。図１１（ａ）（ｂ）では途中の定滑車８の位置だけが異なる。記号Ａは収納箱の箱取付部の位置を示す。図１１（ａ）では所定の間隔を有する一対の滑車の中央の記号Ａが裏と表で収納箱２の幅だけずれていて、図７に示されるよう収納箱２の位置が前後分離型用である。図１１（ｂ）では所定の間隔を有する一対の滑車の中央の記号Ａが裏も表も中央に配された例で、これは収納箱２の位置が前後分離型用である。
【００２１】
図１２にモジュールと滑車との関係を表す三面図を示す。モジュール１３の途中につける定滑車の位置を選べるように、取り付け穴を設けておくことで、実施例４に使用する時と第５の形態に使用する時との双方に対応が可能となる。すなわち、必要に応じて図１２（ａ）又は（ｂ）の位置に定滑車８を取り付けられるようにできる。
【００２２】
錘４に付加錘４を追加可能とすることは有効である。例えば、高さ方向に付加錘４を追加した時に錘４高さ制限の上限とするように設計すれば良い。また、厚さ方向へ付加錘４を追加した時厚さの上限未満となる板厚とすることでも良い。このように錘４の加減を行う際、錘４を着磁しておく方法も有る。すなわち錘４を鉄などの強磁性体とし、着磁しておくと追加する錘４が吸着し、ワンタッチの錘４の着脱を可能とする。
【００２３】
収納箱２を全量引き出した時に上へ所定の力を加えないと収納箱２が動き出さない下至点保持機構やブレーキ機構をつけることは有効である。スライドレールを使用する場合、スライドレールにもともとこの機能を有するものを利用しても良いし、独自にこの機能を果たす機構を設けても良い。
【００２４】
閉まる時、ダンパーにより最後のストロークがレール速度を減速する機構を内蔵してあるソフトクロージングタイプのスライドレールを用いても良い。収納済み収納箱２と錘４のバランスに関して、錘４をやや重くしておく。これにより、収納箱２には常に閉まろうとする力が働いているので、閉まり始めると速度が加速するが、最後は常にそっと閉まるようになる。
【００２５】
収納箱２を多少斜め手前に引き出すようにスライドレールでガイドしても良い。窓の上の空間に本発明の収納システムを取り付ける時、窓の錠のハンドルが前に大きく出ていて、収納箱２が真下に降りてくるとハンドルに接触するような時、収納箱２を真下に引き出す代わりに僅か斜め前に引き出すようにスライドレールを取り付ける。これにより収納箱２を引き出した時、背中の壁に障害となりうる突起を回避し、本発明を実施できる。
【００２６】
本発明は、無電源で動作する場合を説明してきたが、電動機械と組み合わせても良い。すなわち、モーターとギヤ類などにより収納箱２の上下をおこなうときも、錘４と収納箱２とは概ねバランスしているのでモーターのトルクなどもそれだけ少なくて良い。また、モーターとギヤ類がブレーキの作用も得られることもある。
【００２７】
以上本発明の収納システムの一つの例として、婦人靴収納システムの検討図を図１３に示す。これは家族の成長と共に靴が増え、靴の収納能力を増やしたい希望に対応するもので、靴の中でも軽量な婦人靴に特化した靴収納システムであって、既設靴収納家具に加え設置するものである。婦人用の靴は小さめで軽いものが多いので、本発明の収納システムに向いている。本発明の収納システムをモジュールとして複数使用する。全体は図７で示した本発明の収納箱２左右分離型が３つのモジュールとして使用され、右２つがブーツ用、中央の２つが婦人靴用、左２つがスリッパなのどの室内履き用としての収納システムの検討である。 この例のように、複数のモジュールを自在に組み合わせることで個別のニーズに合わせることが出来、柔軟なデザインが可能となる。
【符号の説明】
【００２８】
１            外箱
１ａ          外箱１の下方の開口部
１ｂ          外箱１の背板
２            収納箱
２ａ、２ｂ    一対の収納箱
２ｃ、２ｄ    箱紐６の両端に一対の収納箱が取り付く各々の箱取付部
２ｅ、２ｆ    箱紐６ａの両端に一対の収納箱が取り付く各々の箱取付部
２ｇ、２ｈ    箱紐６ｂの両端に一対の収納箱が取り付く各々の箱取付部
３            外箱１と収納箱２との鉛直方向の隙間
３ａ、３ｂ    外箱１と収納箱２との鉛直方向の一対の隙間
４            錘
４ａ、４ｂ    一対の錘
５            動滑車
５ａ、５ｂ    一対の動滑車
６            箱紐
６ａ、６ｂ    一対の箱紐
６ｃ          箱取付部２ｅ、２ｇに至る途中の箱紐６ａ、６ｂの箱紐結合部
６ｄ          箱取付部２ｆ、２ｈに至る途中の箱紐６ａ、６ｂの箱紐結合部
７            錘紐
７ａ、７ｂ    一対の錘４ａ、４ｂと動滑車５とをつなぐ一対の錘紐
７ｃ          錘紐７ａ、７ｂを結合する錘紐結合点
８            定滑車
９            スライドレール
１３          定滑車を取付るモジュール
Ａ            モジュール１３の平面図で収納箱２ａ、２ｂの位置を示す記号
Ｌ            収納箱２の引き出し方向の全長
Ｐ            紐の固定点
Ｗ            収納済みの収納箱の重さ
【図１】
2016146997.tif 000003
【図２】
2016146997.tif 000004
【図３】
2016146997.tif 000005
【図４】
2016146997.tif 000006
【図５】
2016146997.tif 000007
【図６】
2016146997.tif 000008
【図７】
2016146997.tif 000009
【図８】
2016146997.tif 000010
【図９】
2016146997.tif 000011
【図１０】
2016146997.tif 000012
【図１１】
2016146997.tif 000013
【図１２】
2016146997.tif 000014
【図１３】
2016146997.tif 000015
【図１４】
2016146997.tif 000016